(57)【特許請求の範囲】
【請求項１】
製品と、突起部を備えた付属品とを同梱するための梱包箱において、
前記梱包箱は、梱包箱本体と、この梱包箱本体内に設置されて、前記付属品を保持する保持板とを備え、
前記保持板は、平面視略Ｉ字状に形成され前記付属品を下方から支持する平板部と、前記平板部の上方に起立され前記付属品の外形形状に合わせて内側に折曲形成された一対の保持片を有する保持部と、から構成され、
前記平板部には、前記保持板に保持される前記付属品の突起部を保持板の裏側に突出させる開口部が設けられ、
前記保持板は、梱包箱本体内に梱包される製品の上面と梱包箱本体の蓋部との間に、水平方向の移動が規制された状態で、かつ、前記梱包箱本体内に梱包される製品の外側の空間に前記付属品の突起部が配置されるようにして、前記梱包箱本体内に設置されていることを特徴とする梱包箱。
【請求項２】
請求項１記載の梱包箱において、
前記保持板および梱包箱本体がダンボールで形成されていることを特徴とする梱包箱。
【発明の詳細な説明】
【０００１】
【発明の属する技術分野】
本発明は、オーディオプレーヤー等の家電製品を梱包する際の梱包箱に関するものである。
【０００２】
【従来の技術】
オーディオプレーヤー等を梱包する際、ＡＣアダプター等の重量、大きさのある付属品は、オーディオプレーヤー本体を梱包する梱包箱とは別にＡＣアダプター等専用の別箱に収納して、オーディオプレーヤー本体を梱包する梱包箱の中に収納している。特に突起部であるジャック部を持つＡＣアダプターの場合、この突起部の存在のために別箱が大きくなってしまっている。
【０００３】
【発明が解決しようとする課題】
このように、従来の梱包箱では、ＡＣアダプター等が収納される大きな別箱が存在するために、梱包箱サイズが大きくなって、梱包箱のコストが増大するばかりか、輸送トラックへの積載量も減るので、輸送コストが増大するという課題があった。また、ＡＣアダプター等を別箱に梱包しているので、この別箱のコストも割高となるという課題があった。
【０００４】
本発明は上記事情に鑑みてなされたもので、突起部を有するＡＣアダプター等を付属品として梱包する際に梱包材の寸法を小さくしてコストダウンができ、かつ梱包コストをも減らすことができる梱包箱を提供することを目的としている。
【０００５】
【課題を解決するための手段】
上記目的を達成するために、請求項１記載の発明は、例えば図１〜図３に示すように、製品（例えばオーディオプレーヤー）５と、突起部（例えばジャック部）４を備えた付属品（例えばＡＣアダプター）３とを同梱するための梱包箱において、前記梱包箱Ａは、梱包箱本体１と、この梱包箱本体１内に設置されて、前記付属品３を保持する保持板２とを備え、前記保持板２は、平面視略Ｉ字状に形成され前記付属品３を下方から支持する平板部７と、前記平板部７の上方に起立され前記付属品３の外形形状に合わせて内側に折曲形成された一対の保持片８ａ、８ａを有する保持部８と、から構成され、前記平板部には、前記保持板２に保持される前記付属品３の突起部４を保持板２の裏側に突出させる開口部６が設けられ、前記保持板２は、梱包箱本体１内に梱包される製品５の上面と梱包箱本体１の蓋部１３との間に、水平方向の移動が規制された状態で、かつ、前記梱包箱本体１内に梱包される製品５の外側の空間に前記付属品３の突起部４が配置されるようにして、前記梱包箱本体１内に設置されていることを特徴としている。
【０００６】
請求項１記載の発明によれば、前記付属品を保持する保持板を備えており、該付属品を梱包する別箱を使用する必要がないので、梱包コストを減らすことができる。また、前記保持板の保持部は付属品の外形形状に合わせて内側に折曲形成された一対の保持片を有しているので、付属品を保持片で包み込んで保持することができる。さらに、前記保持板の平板部には、この保持板に保持される前記付属品の突起部を保持板の裏側に突出させる開口部が設けられ、前記保持板は前記梱包箱本体内に梱包される製品の外側の空間に前記付属品の突起部が配置されるようにして、前記梱包箱本体内に設置されているので、該付属品専用の別箱を使用した場合に比べて、該突起部の高さ分だけ該梱包箱本体の大きさを小さくできる。したがって、梱包箱のコストを減らすことができ、また、輸送トラックへの積載量も増えるので、輸送コストを削減させることができる。さらに、前記保持板は、梱包箱本体内に梱包される製品の上面と梱包箱本体の蓋部との間に、水平方向の移動が規制された状態で設置されているので、前記保持板に保持された前記付属品を梱包箱本体内に移動不能に梱包できる。したがって、前記梱包箱を輸送中に前記付属品が前記梱包箱本体内で動くことがない。また、前記蓋部を開けるとすぐに前記付属品を取り出すことができ、これによって、前記製品が取り出しやすくなる。
【０００９】
請求項２記載の発明は請求項１記載の梱包箱Ａにおいて、前記保持板２および梱包箱本体１がダンボールで形成されていることを特徴としている。
【００１０】
請求項２記載の発明によれば、前記保持板がダンボールで形成されているので、切込みや折込み等の加工がしやすく、前記付属品のサイズに合わせて形成することが容易にできる。さらに、前記保持板および前記梱包箱本体がダンボールで形成されているので、発泡スチロール等を使用した場合に比べて、処分時にかさばりが少なく、焼却しても有害物質が発生しない。
【００１１】
【発明の実施の形態】
以下図面を参照して、本発明の梱包箱Ａの実施の形態について説明する。図１は本発明の梱包箱Ａの一例を示すもので、その断面図、図２、図３は保持板２の一例を示すもので、その斜視図、図４は梱包箱本体１の一例を示すもので、その斜視図である。これらの図に示す梱包箱Ａはオーディオプレーヤー（製品）５を保持し、かつ衝撃から保護する緩衝材１５と、ＡＣアダプター（付属品）３を保持する保持板２とを梱包箱本体１内に備えた構成とされている。
【００１２】
前記梱包箱本体１は、丈夫で軽量なダンボールによって、底部が閉塞された直方体の箱状に形成されたもので、その上端部には開閉可能な蓋部１３が設けられている。この蓋部１３は、四枚のフラップ１８、１８、１９、２２で構成されており、フラップ１９、２２は梱包箱本体１の上端開口縁部のうち、長辺側の開口縁部に回動可能に形成され、フラップ１８、１８は短辺側の開口縁部に回動可能に形成されている。
【００１３】
前記フラップ２２の先端部には係合片１６が形成されており、この係合片１６の基端部にはスリット１７が形成されている。前記フラップ１９の基端部にはスリット２０が形成されており、このスリット２０には、フラップ２２を閉じた際に前記係合片１６が挿通されて係合するようになっている。また、梱包箱本体１の、フラップ１９が形成されている開口縁部には、係合片２１が形成されており、この係合片２１はフラップ１９およびフラップ２２を閉じた際に、前記スリット１７に挿通されて係合するようになっている。
【００１４】
前記緩衝材１５は図４に示すように、ダンボールによって、略四角筒状に形成されたものを組み合わせて、略口状に形成されている。そして、該緩衝材１５の中央の開口部は前記オーディオプレーヤー５の端部が嵌合する嵌合穴とされている。また、該緩衝材１５の外形は前記梱包箱本体１にしっかり嵌り込むような大きさに形成されている。
【００１５】
前記保持板２は、図２および図３に示すように、平板部７と保持部８とで構成されている。平板部７は前記ＡＣアダプター３を下方から支持するものであり、平面視略Ｉ字状に形成されている。また、平板部７は、梱包箱本体１に収納された際に、オーディオプレーヤー５の上面に当接されるとともに、平板部７の一方の側縁部７aが梱包箱本体１の内側面に当接し、かつこの側縁部７aと交差する他方の側縁部７ｂが前記緩衝材１５に当接するようになっている。
【００１６】
さらに、前記平板部７の一方の側縁部７aには、開口部６が形成されている。この開口部６はＡＣアダプター３のジャック部４を平板部７の裏側に突出させるためのものであり、以下のようにして形成されている。すなわち、平板部７の側縁部７aには、ジャック部４とほぼ同幅かやや広い間隔で二本の切込みが形成されており、該切込みの間の切込片１４を平板部７の下方に折り込むことによって、前記開口部６が形成されている。この切込片１４の先端部は、平板部７にＡＣアダプター３を載せて、ジャック部４を開口部６に差し込んだ際に、該ジャック部４の先端部に当接して、この先端部を保護するようになっている。
【００１７】
前記保持部８はＡＣアダプター３を包み込むようにして保持するものであり、一対の保持片８a、８aで構成されている。この保持片８aは、平板部７の上方に起立され、内側に折曲されたものであり、ＡＣアダプター３の外形形状に合わせて形成されている。そして、この保持部８では、平板部７にＡＣアダプター３を載せたうえで、保持片８a、８aで該ＡＣアダプター３を包み込み、保持片８a、８aの先端縁部どうしを粘着テープ１０で結合することによって、ＡＣアダプター３を保持するようになっている。
【００１８】
次に上記構成の梱包箱Ａの梱包方法について説明する。まず、図４に示すように、前記オーディオプレーヤー５の両端部を前記緩衝材１５に嵌合させる。そして、前記梱包箱本体１にこの緩衝材１５を嵌合させた該オーディオプレーヤー５を該梱包箱本体１の側面に沿わせながら設置する。すると前記梱包箱本体１内には中央にオーディオプレーヤー５が配置され、該オーディオプレーヤー５は前記梱包箱本体１内で動かないように固定される。この状態において、前記梱包箱本体１には該オーディオプレーヤー５を挟んでその両脇に空間が設けられる。また、前記オーディオプレーヤー５の上部にも空間が設けられる。次に、リモコン、取扱説明書等の比較的軽量で小さな付属品１１を該梱包箱本体１の空間部１２に設置する。次に、前記ＡＣアダプター３を保持した前記保持板２を該オーディオプレーヤー５の上部に当接させ、かつ該保持板２の平板部７の側縁部７a、７ｂを該梱包箱本体１の側面および、該緩衝材１５の側面に当接させる。これによって、該ＡＣアダプター３が保持された保持板２は水平方向の移動が規制された状態で、設置される。この際に、該ＡＣアダプター３から突出した前記ジャック部４が前記梱包箱本体１の空間部１２に出っ張るように前記保持板２は設置される。最後に前記梱包箱本体１の前記フラップ１８、１８、１９、２２を閉じてから、フラップ２２に設けられている係合片１６をスリット２０に係合させ、さらに、スリット１７に前記フラップ１９に設けられた係合片２１を係合させることによって、梱包箱本体１の上部を閉塞して梱包を完了する。
【００１９】
本実施の形態の梱包箱Ａによれば以下のような効果が得られる。
前記ＡＣアダプター３を保持する保持板２を備えており、該ＡＣアダプター３を梱包する別箱を使用する必要がないので、梱包コストを減らすことができる。また、前記保持板２には、この保持板２に保持される前記付属品３のジャック部４を保持板２の裏側に突出させる開口部６が設けられ、前記保持板２は前記梱包箱本体１内に梱包されるオーディオプレーヤー５の外側の空間に前記ＡＣアダプター３のジャック部４が配置されるようにして、前記梱包箱本体１内に設置されているので、該ＡＣアダプター３専用の別箱を使用した場合に比べて，該ジャック部４の高さ分だけ該梱包箱本体１の大きさを小さくできる。したがって、梱包箱Ａのコストを減らすことができ、また、輸送トラックへの積載量も増えるので、輸送コストを削減させることができる。
【００２０】
また、前記保持板２は、梱包箱本体１内に梱包されるオーディオプレーヤー５の上面と梱包箱本体１の蓋部１３との間に、水平方向の移動が規制された状態で設置されているので、前記保持板２に保持された前記ＡＣアダプター３を梱包箱本体１内に移動不能に梱包できる。したがって、前記梱包箱Ａを輸送中に前記ＡＣアダプター３が前記梱包箱本体１内で動くことがない。また、前記蓋部１３を開けるとすぐに前記ＡＣアダプター３を取り出すことができ、これによって、前記オーディオプレーヤー５が取り出しやすくなる。
【００２１】
また、前記保持板２がダンボールで形成されているので、切込みや折込み等の加工がしやすく、前記ＡＣアダプター３のサイズに合わせて形成することが容易にできる。さらに、前記保持板２および前記梱包箱本体１がダンボールで形成されているので、発泡スチロール等を使用した場合に比べて、処分時にかさばりが少なく、焼却しても有害物質が発生しない。さらに、緩衝材１５もダンボールで形成されているので、前記梱包箱Ａ全体の処分を楽に行うことができる。
【００２２】
また、前記保持部２の開口部６に嵌合するジャック部４の下方にダンボールの切込片１４が存在し、該ジャック部４の先端に当接するので、該ジャック部４を外力や衝撃から保護することができる。さらに、オーディオプレーヤー５の両脇には空間が存在するので、横からの衝撃を受けても、該オーディオプレーヤー５は破損しにくい。
【００２３】
なお、本実施の形態では前記開口部６は前記保持板２の端部からの切込みによって形成されるが、これに限らず、該保持板２の前記平板部７上の端部以外の中央よりの場所にコ字状に切抜かれて形成されていてもよいし、口状に切抜かれて形成されていてもよい。
【００２４】
【発明の効果】
以上説明したように、本発明の請求項１の発明によれば、前記付属品を保持する保持板を備えており、該付属品を梱包する別箱を使用する必要がないので、梱包コストを減らすことができる。また、該付属品専用の別箱を使用した場合に比べて，該突起部の高さ分だけ該梱包箱本体の大きさを小さくできる。したがって、梱包箱のコストを減らすことができ、また、輸送トラックへの積載量も増えるので、輸送コストを削減させることができる。
また、前記保持板の保持部は付属品の外形形状に合わせて内側に折曲形成された一対の保持片を有しているので、付属品を保持片で包み込んで保持することができる。さらに、前記保持板は、梱包箱本体内に梱包される製品の上面と梱包箱本体の蓋部との間に、水平方向の移動が規制された状態で設置されているので、前記保持板に保持された前記付属品を梱包箱本体内に移動不能に梱包できる。
【００２６】
請求項２の発明によれば、請求項１と同様の効果を得ることができるのは勿論のこと、前記保持板および前記梱包箱本体がダンボールで形成されているので、発泡スチロール等を使用した場合に比べて、処分時にかさばりが少なく、焼却しても有害物質が発生しない。
【図面の簡単な説明】
【図１】本発明の梱包箱の一例を示すもので、その断面図である。
【図２】本発明の保持部を示すもので、その斜視図である。
【図３】同、保持部の斜視図である。
【図４】本発明の梱包箱の一例を示すもので、その斜視図である。
【符号の説明】
Ａ  梱包箱
１  梱包箱本体
２  保持板
３  ＡＣアダプター（付属品）
４  ジャック部（突起部）
５  オーディオプレーヤー（製品）
６  開口部
１３  蓋部
【図１】
0003798634.tif 000002
【図２】
0003798634.tif 000003
【図３】
0003798634.tif 000004
【図４】
0003798634.tif 000005